(57)【特許請求の範囲】
【請求項１】
軒樋本体を、その前面板、後面板、及び底面板の内周面に内継手の外周面を当接させ連結する軒樋の連結構造であって、
内継手を、前面板の内周面に当接する前側継手体と後面板の内周面に当接する後側継手体とに分割形成し、同前側継手体、後側継手体相互をその接合板どうしが押圧状態となるよう接合させてなることを特徴とする軒樋の連結構造。
【請求項２】
軒樋本体の前面板に、底面板の前端に立設されてその中程に外方へ凸曲した屈曲部を設け、同屈曲部の内周面には上向きの凸条を設けて軒樋本体を形成し、前側継手体にはその前板に同凸条に係合する下向きの係合溝を設けたことを特徴とする請求項１記載の軒樋の連結構造。
【請求項３】
前記接合板の各接合面に凹凸嵌合部を設けて形成したことを特徴とする請求項１又は２記載の軒樋の連結構造。
【請求項４】
前面板、後面板の上部にそれぞれ内方へ向けて突出する前耳、後耳と、その前耳、後耳に並設される溝とを設けて形成し、前側継手体の前板上端、後側継手体の後板上端を該溝に係合させてなることを特徴とする請求項１乃至３のいずれか一つの請求項記載の軒樋の連結構造。
【請求項５】
前側継手体の前板上端及び後側継手体の後板上端とともに軒樋本体の前耳、後耳をその両端部にて狭持する耳押さえ材を、前側継手体及び後側継手体の上部間にわたって付設させてなることを特徴とする請求項４記載の軒樋の連結構造。
【発明の詳細な説明】
【０００１】
【発明の属する技術分野】
本発明は、軒樋の連結構造に関するものである。
【０００２】
【従来の技術】
従来から、図７に示す如く後面板４、及び底面板２を備え、その前面板３が略前方上方に屈曲する屈曲部Ｂを有する、建築物の屋根と一体感があって外観の美しい軒樋本体Ａが提案されている。すなわち、この軒樋本体Ａは、例えば鋼板のような金属板の両面に合成樹脂材料を被覆して形成されて、前面板３が上方へいくにつれて、屋根面と連続するよう後方に傾斜しており、また、前耳Ｄが、前面板上部Ｃの上端から、その上面開口の巾寸法が内部の巾寸法より小さくなるように、斜め下方に向け長手方向にわたって設けられている。
【０００３】
この場合、軒樋本体Ａを長手方向に連結するときには、対となる一方の軒樋本体へ他方の軒樋本体端部を差し込んで接着するか、あるいは、対となる軒樋本体Ａの端部同士を突き合わせ、図６に示すような、その軒樋本体Ａの内周面に略当接するよう例えば当接片Ｇを有する、合成樹脂材料製で所定長さの継手の内継手Ｆを上面開口から装着し、軒樋本体Ａの内周面と内継手Ｆの外周面との間に接着剤を介装するとともに、軒樋本体Ａの外周面に略当接し、軒樋本体Ａの前耳Ｄ及び後耳Ｅに係合する前耳係合部及び後耳係合部を有する外継手Ｈを、上記後面板４上端の後耳Ｅ及び前面板上部上端の前耳Ｄを把持するようにして接着し連結していた。
【０００４】
【発明が解決しようとする課題】
すなわち、上記従来の技術においては、軒樋本体内側の内継手が連結機能のみ有して、その外周面と軒樋本体は全周にわたって密着しておらず、その連結部分から雨水が漏れることを防止するためには上記のような外継手が欠くことのできないものとなっていた。そのため、連結部分の外継手が大きく露出することとなって外観の良くないものであった。ところで、軒樋後面と軒先の鼻板との隙間が狭い場合、上記外継手を設けにくいこともあり、施工面からも改善が要望されていた。
【０００５】
本発明は、上記事由に鑑みてなしたもので、その目的とするところは、内継手のみを用いて連結部分からの水漏れを無くすことができて、軒樋同士の連結部分の美観を向上することのできる軒樋の連結構造を提供することにある。
【０００６】
【課題を解決するための手段】
上記目的を達成するために、本発明の軒樋の連結構造にあっては、軒樋本体を、その前面板、後面板、及び底面板の内周面に内継手の外周面を当接させ連結する軒樋の連結構造であって、内継手を、前面板の内周面に当接する前側継手体と後面板の内周面に当接する後側継手体とに分割形成し、同前側継手体、後側継手体相互をその接合板どうしが押圧状態となるよう接合させてなることを特徴としている。
【０００７】
これにより、前面板、後面板、及び底面板を有する軒樋本体が、前面板の内周面に当接する前側継手体と後面板の内周面に当接する後側継手体とに分割形成された内継手を、その相互の、接合板どうしが押圧状態となるよう接合されて外周面を軒樋本体の内周面に密着させ連結される。
【０００８】
そして、軒樋本体の前面板に、底面板の前端に立設されてその中程に外方へ凸曲した屈曲部を設け、同屈曲部の内周面には上向きの凸条を設けて軒樋本体を形成し、前側継手体にはその前板に同凸条に係合する下向きの係合溝を設けるのが好ましい。
【０００９】
この場合、軒樋本体の前面板に、底面板の前端に立設されてその中程に外方へ凸曲した屈曲部を設け、同屈曲部の内周面には上向きの凸条を有する軒樋本体の前面板が、同凸条に係合する下向きの係合溝をその前板に有する内継手の前側継手体が係合されて、外周面が軒樋本体の内周面に密着される。
【００１０】
また、前記接合板の各接合面に凹凸嵌合部を設けて形成するのが好ましい。
【００１１】
この場合、分割形成された内継手相互の、凹凸嵌合部が設けられた接合板どうしが押圧されて一体化されて、内継手の外周面が軒樋本体の内周面に密着される。
【００１２】
また、前面板、後面板の上部にそれぞれ内方へ向けて突出する前耳、後耳と、その前耳、後耳に並設される溝とを設けて形成し、前側継手体の前板上端、後側継手体の後板上端を該溝に係合させるのが好ましい。
【００１３】
この場合、前面板、後面板の上部にそれぞれ内方へ向けて突出する前耳、後耳と、その前耳、後耳に並設される溝とを有する軒樋本体が、分割形成されてその前側継手体の前板上端、後側継手体の後板上端を該溝にそれぞれ係合させた、内継手の外周面を軒樋本体の内周面に密着させ連結される。
【００１４】
また、上記前側継手体の前板上端及び後側継手体の後板上端とともに軒樋本体の前耳、後耳をその両端部にて狭持する耳押さえ材を、前側継手体及び後側継手体の上部間にわたって付設させるのが好ましい。
【００１５】
この場合、軒樋本体は、その前耳、後耳が、前側継手体の前板上端及び後側継手体の後板上端と、その前側継手体及び後側継手体の上部間にわたって設けられる耳押さえ材の両端部とによって狭持され連結される。
【００１６】
【発明の実施の形態】
図１乃至図４は、本発明の請求項１乃至４に対応する第１の実施の形態を示し、図５は、本発明の請求項５に対応する第２の実施の形態を示している。
【００１７】
［第１の実施の形態］
図１は、第１の実施の形態の軒樋の連結構造を示す側面断面図である。図２は、同軒樋の連結構造の内継手を示す斜視図である。図３は、同軒樋の連結構造の説明図である。図４は、同軒樋の連結構造の他の実施例の説明図である。
【００１８】
この実施の形態の軒樋の連結構造は、軒樋本体１を、その前面板３、後面板４、及び底面板２の内周面に内継手５の外周面を当接させ連結する軒樋の連結構造であって、内継手５を、前面板３の内周面に当接する前側継手体６と後面板４の内周面に当接する後側継手体７とに分割形成し、同前側継手体６、後側継手体７相互をその接合板６ｃ，７ｃどうしが押圧状態となるよう接合させてなる。
【００１９】
又、該実施の形態の軒樋の連結構造においては、軒樋本体１の前面板３に、底面板２の前端に立設されてその中程に外方へ凸曲した屈曲部３ａを設け、同屈曲部３ａの内周面には上向きの凸条３ｂを設けて軒樋本体１を形成し、前側継手体６にはその前板６ｂに同凸条３ｂに係合する下向きの係合溝６ｅを設けてもいる。又、該実施の形態の軒樋の連結構造においては、前記接合板６ｃ，７ｃの各接合面に凹凸嵌合部９を設けて形成してもいる。又、該実施の形態の軒樋の連結構造においては、前面板３、後面板４の上部にそれぞれ内方へ向けて突出する前耳３ｃ、後耳４ａと、その前耳３ｃ、後耳４ａに並設される溝３ｄ、４ｂとを設けて形成し、前側継手体６の前板６ｂ上端、後側継手体７の後板７ｂ上端を該溝３ｄ、４ｂに係合させてもいる。
【００２０】
詳しくは、軒樋本体１は、例えば図１に示すような、上面開口を有する断面大略コ字状であって、図２に示すような、所定長さの前側継手体６及び後側継手体７を接合させた内継手５に、対となる軒樋本体１の端部同士を突き合わせるように嵌合させ、その内周面と内継手５の外周面である底板６ａ，７ａ、前板６ｂ、後板７ｂとの間に接着剤を介装して接着し連結される。
【００２１】
この軒樋本体１は、鋼板のような金属板の両面に合成樹脂材料を被覆して押し出し成形にて形成され、前面板３が、底面板２前端から前方へいくように傾斜し、軒樋本体１の前面板３に、底面板２の前端に立設されてその中程に外方へ凸曲した屈曲部３ａを設け、のち前面板上部が上方へいくにつれて、図示していない屋根面と連続するよう、後方に傾斜し形成されている。また、この前面板３上端には、前耳３ｃが斜め前方に向け垂下して設けられ、この前耳３ｃと前面板３との間が溝３ｄとなる。また、後面板４は、底面板２後端から上方へ向けて立ち上がり、この後面板４上端には、後耳４ａが前方へ向け突設されて、その下方の溝４ｂとともに形成されている。
【００２２】
屈曲部３ａは、前面板３を流下する雨水の水切りを行うためのものであり、他に意匠も兼ねるもので、この屈曲部３ａの、内周面となるその水平部上面側には、後述する内継手５との係合部となる凸条３ｂが連設されている。なお、屈曲部３ａは、上記によるもの以外に、例えば階段状となるよう軒樋本体１の前面板３に、底面板２の前端に立設されてその中程に外方へ凸曲した屈曲部３ａを複数個設けても良い。また、この屈曲部３ａの角部には、水切りを確実に行うための垂下片を設けても良い。
【００２３】
内継手５は、例えば合成樹脂材料製で、上記軒樋本体１の底面板２、前面板３及び後面板４の内周面にその外周面がそれぞれ沿うように、前側継手体６及び後側継手体７が形成されて、接合され構成されている。前側継手体６は、底板６ａ、前板６ｂ及び接合板６ｃを有しており、この場合、上記凸条３ｂに係合する下向きの係合溝６ｅが、上記の前面板３に沿うよう形成される前板６ｂの屈曲部基端に設けられている。したがって、図１に示すように、この係合溝６ｅに凸条３ｂが係合されることにて、前面板３が前側に逃げることがなく前板６ｂと前面板３との間が密着される。
【００２４】
後側継手体７は、底板７ａ、後板７ｂ及び接合板７ｃを有しており、この場合、図３に示すように、接合板７ｃと上記接合板６ｃとが押圧状態となるようにして後側継手体７が軒樋本体１内部に装着され接合される。その結果、軒樋本体１の前面板３、後面板４の内周面へ、内継手５の外周面である前板６ｂ、後板７ｂを容易に密着させて設けることができる。
【００２５】
上記前側継手体６及び後側継手体７の接合板６ｃ，７ｃの接合面となる外面には、この場合、互いに嵌合するよう鋸刃状の凹凸嵌合部９が設けられている。そのため、図３に示すようにして、軒樋本体１内部に装着された後側継手体７は、確実に前側継手体６と接合されてその内部から離脱するのが防止される。
【００２６】
また、上記前板６ｂの上端と後板７ｂの上端には、突出片が設けられて軒樋本体１の前耳３ｃ及び後耳４ａに並設されている溝３ｄ，４ｂに係合するようになっており、対となる軒樋本体１の端部同士を突き合わせるように嵌合させ装着することでその端部の僅かな変形を修正させて、前板６ｂと前面板３との間、後板７ｂと後面板４との間及び、底板６ａ，７ａと底面板２との間を密着させることができる。この前側継手体６及び後側継手体７は、押し出し成形後、所定長さに切断され形成されているが、射出成型にても形成することができる。
【００２７】
なお、上記接合板６ｃ，７ｃの上端と前板６ｂ、後板７ｂの上部との間には、軒樋本体１の前面板３及び後面板４がそりなどにて変形したものであっても、前板６ｂ、後板７ｂをそれにより変形されることなく所定位置とするための接続片６ｄ，７ｄが、前板６ｂ、後板７ｂと略同一幅寸法にて一体に設けられており、軒樋本体１をより美観良く連結することができる。また、接続片６ｄの基端部には、前耳３ｃを上記突出片とともに把持して位置決めする位置決め片６ｆが設けられており、突出片が溝３ｄから容易に離脱することがない。
【００２８】
上記の軒樋の連結構造においては、前面板３、後面板４、及び底面板２を有する軒樋本体１へ、図３に示すように、分割形成された内継手５の一方である前面板３の内周面に当接する前側継手体６を装着された後、後面板４の内周面に当接する他方の後側継手体７が上方開口から挿入されて、その相互の、接合板６ｃ，７ｃどうしが押圧状態となるよう接合される。その結果、内継手５の外周面を軒樋本体１の内周面に容易に密着させ連結することができる。
【００２９】
このとき、軒樋本体１の、その内周面に上向きの凸条３ｂをもった軒樋本体１の前面板３に、底面板２の前端に立設されてその中程に外方へ凸曲した屈曲部３ａを有する前面板３は、該凸条３ｂに係合する下向きの係合溝６ｅをその前板６ｂに有する前側継手体６が係合されて、その内継手５の外周面を軒樋本体１の内周面により確実に密着させることができる。また、分割形成された内継手５相互の、凹凸嵌合部９が設けられた接合板６ｃ，７ｃどうしが押圧されて一体化されるため、その内部から離脱し難い状態にて、より安定状態に軒樋本体１の内周面に密着される。さらに軒樋本体１の前面板３、後面板４の上部には、それぞれ内方へ向けて突出する前耳３ｃ、後耳４ａと、その前耳３ｃ、後耳４ａに並設される溝３ｄ，４ｂとを有しており、分割形成された前側継手体６の前板６ｂ上端、後側継手体７の後板７ｂ上端を該溝３ｄ，４ｂにそれぞれ係合させることにて、軒樋本体１をその全内周面にわたって内継手５の外周面に確実に密着させることができる。
【００３０】
したがって、以上説明した軒樋の連結構造によると、前面板３、後面板４、及び底面板２を有する軒樋本体１が、前面板３の内周面に当接する前側継手体６と後面板４の内周面に当接する後側継手体７とに分割形成された内継手５を、その相互の、接合板６ｃ，７ｃどうしが押圧状態となるよう接合されて外周面を軒樋本体１の内周面に密着させ連結されるので、内継手５のみを用いて連結部分からの水漏れを無くすことができて、軒樋同士の連結部分の美観を向上することができる。
【００３１】
そして、軒樋本体1の前面板3に、底面板2の前端に立設されてその中程に外方へ凸曲した屈曲部3aを設け、同屈曲部３ａの内周面には上向きの凸条３ｂを有する軒樋本体１の前面板３が、同凸条３ｂに係合する下向きの係合溝６ｅをその前板６ｂに有する内継手５の前側継手体６が係合されて、外周面が軒樋本体１の内周面に密着されるので、内継手５の外周面が軒樋本体１の内周面により確実に密着される。また、分割形成された内継手５相互の、凹凸嵌合部９，９が設けられた接合板６ｃ，７ｃどうしが押圧されて一体化されて、内継手５の外周面が軒樋本体１の内周面にその内部から離脱し難い状態にて密着されので、より安定状態に連結される。また、前面板３、後面板４の上部にそれぞれ内方へ向けて突出する前耳３ｃ、後耳４ａと、その前耳３ｃ、後耳４ａに並設される溝３ｄ，４ｂとを有する軒樋本体１が、分割形成されてその前側継手体６の前板６ｂ上端、後側継手体７の後板７ｂ上端を該溝３ｄ，４ｂにそれぞれ係合させた、内継手５の外周面を軒樋本体１の内周面に密着させ連結されるされるので、確実に軒樋本体１の前面板３、後面板４の上部を位置決め状態にて連結することができ、以て、美観上良好である。
【００３２】
なお、本発明においては、図４（ａ）に示す如く、軒樋本体1の前面板3に、底面板2の前端に立設されてその中程に外方へ凸曲した屈曲部３aを、上述した階段状となるよう複数設けた軒樋本体１においては、１つの屈曲部３ａ以外の他の屈曲部３ａの内周面に、その外周面が当接するように前側継手体１０を設け、この前側継手体１０の内側の一面に後側継手体１１の一面を当接させ接合しても良い。また、図４（ｂ）に示す如く、複数の屈曲部３ａ，３ａにわたって、その内周面に当接するように前側継手体１２を設け、この前側継手体１２の内側の一面に後側継手体１３の一面を当接させ、この前側継手体１２と後側継手体１３とを固着部１４を介して着脱自在に固着し接合させても良い。
【００３３】
すなわち、この実施例による内継手５は、その前側継手体１０，１２及び後側継手体１１，１３の前板の形状を軒樋本体１の複雑な形状に合わせることなく形成される。そして、前側継手体１０，１２を軒樋本体１に装着した後、後側継手体１１，１３を容易に装着し、その外周面を軒樋本体１に密接させることにより、屈曲部３ａを階段状となるよう複数設けた軒樋本体１において、内継手５自体を簡単に軒樋本体１に挿入できるという効果を奏する。
【００３４】
［第２の実施の形態］
図５は、第２の実施の形態の軒樋の連結構造を示す側面断面図である。
【００３５】
この実施の形態の軒樋の連結構造は、内継手の一部の構成のみが第１の実施の形態と異なるもので、他の構成部材は第１の実施の形態のものと同一で、該実施の形態の軒樋の連結構造は、前側継手体６の前板６ｂ上端及び後側継手体７の後板７ｂ上端とともに軒樋本体１の前耳３ｃ、後耳４ａをその両端部にて狭持する耳押さえ材８を、前側継手体６及び後側継手体７の上部間にわたって付設させてなる。
【００３６】
このものの内継手５は、図５に示すように、耳押さえ材８を有するとともに前述の接続片６ｄ，７ｄの基端部分には、後述する耳押さえ材８を前側継手体６及び後側継手体７の上部間にわたって係止させるための係止孔（図示せず）が所定位置に穿設されている。
【００３７】
耳押さえ材８は、例えば合成樹脂材料製で、平面視略四角状に形成されている。この耳押さえ材８は、両端部に、前記の前板６ｂ及び後板７ｂの上端とともに軒樋本体１の前耳３ｃ、後耳４ａを狭持する狭持片８ａ，８ａが全巾にわたって突設され、この狭持片８ａ，８ａの略中央に、上記の係止孔に挿入されこの耳押さえ材８を前側継手体６及び後側継手体７の上部間にわたって係止させる係止片８ｂ，８ｂが、垂下させ設けられている。
【００３８】
軒樋本体１の前面板３及び後面板４がそりなどにて大きく変形したものにおいては、内継手５の前側継手体６及び後側継手体７がそれにより接合が外れて、その結果、前板６ｂ、後板７ｂの上端が溝３ｄ，４ｂから容易に離脱することが想定される。しかし、上記の軒樋の連結構造においては、前述の如く前側継手体６を装着された後、後側継手体７が上方開口から挿入されて相互に押圧状態となるよう接合され、その後、耳押さえ材８が、前側継手体６の前板６ｂ及び後側継手体７の後板７ｂの上端と、その前側継手体６及び後側継手体７の上部間にわたって設けられる。したがって、軒樋本体１の前耳３ｃ、後耳４ａが、耳押さえ材８の両端部の狭持片８ａ，８ａとによって狭持されて、より確実に連結させることができる。
【００３９】
したがって、以上説明した軒樋の連結構造によると、軒樋本体１は、その前耳３ｃ、後耳４ａが、前側継手体６の前板６ｂ上端及び後側継手体７の後板７ｂ上端と、その前側継手体６及び後側継手体７の上部間にわたって設けられる耳押さえ材８の両端部とによって狭持され連結されるので、軒樋本体１の前面板３及び後面板４がそりなどにて著しく変形したものにおいてもより確実に連結することができる。
【００４０】
なお、本発明は、上記に示されたもの以外に、各種形態の軒樋本体及び内継手にて構成されるものを含むことは言うまでもない。また、例えば外継手を設けるに際しても、その幅寸法を従来のものより細幅状に形成しても良く、良好な外観とすることができる。
【００４１】
【発明の効果】
本発明の軒樋の連結構造は、上述の実施態様の如く実施されて、前面板、後面板、及び底面板を有する軒樋本体が、前面板の内周面に当接する前側継手体と後面板の内周面に当接する後側継手体とに分割形成された内継手を、その相互の、接合板どうしが押圧状態となるよう接合されて外周面を軒樋本体の内周面に密着させ連結されるので、内継手のみを用いて連結部分からの水漏れを無くすことができて、軒樋同士の連結部分の美観を向上することができる。
【００４２】
そして、軒樋本体の前面板に、底面板の前端に立設されてその中程に外方へ凸曲した屈曲部を設け、同屈曲部の内周面には上向きの凸条を有する軒樋本体の前面板が、同凸条に係合する下向きの係合溝をその前板に有する内継手の前側継手体が係合されて、外周面が軒樋本体の内周面に密着されるので、内継手の外周面が軒樋本体の内周面により確実に密着される。
【００４３】
また、分割形成された内継手相互の、凹凸嵌合部が設けられた接合板どうしが押圧されて一体化されて、内継手の外周面が軒樋本体の内周面に密着されるので、より安定状態に連結される。
【００４４】
また、前面板、後面板の上部にそれぞれ内方へ向けて突出する前耳、後耳と、その前耳、後耳に並設される溝とを有する軒樋本体が、分割形成されてその前側継手体の前板上端、後側継手体の後板上端を該溝にそれぞれ係合させた、内継手の外周面を軒樋本体の内周面に密着させ連結されるので、確実に軒樋本体の前面板、後面板の上部を位置決め状態にて連結するでき、以て、美観上良好である。
【００４５】
また、軒樋本体は、その前耳、後耳が、前側継手体の前板上端及び後側継手体の後板上端と、その前側継手体及び後側継手体の上部間にわたって設けられる耳押さえ材の両端部とによって狭持され連結されるので、軒樋本体の前面板及び後面板がそりなどにて著しく変形したものにおいてもより確実に連結することができる。
【００４６】
【図面の簡単な説明】
【図１】本発明の第１の実施の形態の軒樋の連結構造を示す側面断面図である。
【図２】同軒樋の連結構造の内継手を示す斜視図である。
【図３】同軒樋の連結構造の説明図である。
【図４】同軒樋の連結構造の他の実施例の説明図である。
【図５】第２の実施の形態の軒樋の連結構造を示す側面断面図である。
【図６】本発明の従来例である軒樋の連結構造を示す断面図である。
【図７】同軒樋の連結構造の軒樋本体を示す断面図である。
【符号の説明】
１    軒樋本体
２    底面板
３    前面板
３ａ  屈曲部
３ｂ  凸条
３ｃ  前耳
３ｄ  溝
４    後面板
４ａ  後耳
４ｂ  溝
５    内継手
６    前側継手体
６ｂ  前板
６ｃ  接合板
６ｅ  係合溝
７    後側継手体
７ｂ  後板
７ｃ  接合板
８    耳押さえ材
９    凹凸嵌合部
【図１】
0004228471.tif 000002
【図２】
0004228471.tif 000003
【図３】
0004228471.tif 000004
【図４】
0004228471.tif 000005
【図５】
0004228471.tif 000006
【図６】
0004228471.tif 000007
【図７】
0004228471.tif 000008